(57)【要約】【課題】飲食用水をアルカリイオン水に改質するために使用する水改質具であって、熱湯の中でも使用することができるものを提供する。【解決手段】水改質具１は、ステンレススチールで形成された収容体１１０と、その内部に収容された粒状のマグネシウムである水改質材１２０を備えている。収容体１１０は、多数の小孔が設けられた金属製の板材（いわゆるパンチングメタル）を円筒状にして形成した通水・通気部１１３と、該通水・通気部１１３の両方の開口部へ被せて閉じるための部材である端部材１１１，１１２を備えている。通水・通気部１１３に設けられた小孔は、水改質材１２０よりも小さく、つまり、該小孔を通じて収容体１１０外部へ水改質材１２０が出ない大きさに形成されている。水改質材１２０は、収容体１１０内部で遊動可能な量が充填されている。【選択図】図２
0003141713.tif 000002
【実用新案登録請求の範囲】
【請求項１】
ポット(2)内において飲食用水(3)をアルカリイオン水に改質するために使用する水改質具(1)であって、
前記水改質具(1)は、
耐熱性及び耐食性を有する素材で形成され、内包する部材が収容体(110)外へ出ることを防止する大きさの孔(114)または／およびスリットが設けられた、通気性及び水透過性を有する収容体(110)と、
該収容体(110)内に内包された水改質材(120)を備えている、
水改質具。
【請求項２】
ポット(2)内において飲食用水(3)をアルカリイオン水に改質するために使用する水改質具(1)であって、
前記水改質具(1)は、通気性及び水透過性を有する収容体(110)内に所要量の粒状、リボン状、粉状のいずれか又はこれらを組み合わせた水改質材(120)を内包しており、
前記収容体(110)は、耐熱性及び耐食性を有する素材で形成され、水改質材(120)が出ないように密閉可能な構造であって、収容体(110)外部へ水改質材(120)が出ない大きさの孔(114)または／およびスリットが設けられており、
前記水改質材(120)は、収容体(110)内部で遊動可能な量が充填されている、
水改質具。
【請求項３】
収容体(110)は、その一部又は全部が金属製のパンチングメタル、メッシュまたはネット、またはこれらを組み合わせたもの(113)により形成されている、
請求項１または２記載の水改質具。
【請求項４】
水改質材(120)はマグネシウムである、
請求項１，２または３記載の水改質具。
【考案の詳細な説明】
【技術分野】
【０００１】
本考案は、飲食用水をアルカリイオン水に改質するために使用する水改質具である。更に詳しくは、熱湯の中でも使用することができる水改質具に関する。
【背景技術】
【０００２】
近年、健康志向の高まりにより、飲食用水をアルカリイオン水に改質するために使用する水改質具が製造・販売されている。これらの水改質具は、水道へ直接取り付けるような浄水タンク形式のものから、容器内の水へ投入するだけの簡易的なものまで、様々な種類がある。
なかでも、前記した簡易的な水改質具は、常温又は冷した水道水等を入れたペットボトルや水差し等に水改質具を入れて撹拌し又はそのまま、一定時間放置することで、水道水等をアルカリイオン水に改質するといったものであり、その簡便さ及び低価格ゆえに一般家庭用として需要者に受けている。
前記のような簡易的な水改質具は、サンゴ、竹炭、各種鉱物等の水改質材を水透過性を有する容器に収容したものが多く見られるが、製造コストや加工の容易さから、容器の一部又は大部分にプラスチックが使われていることが多い。
【考案の開示】
【考案が解決しようとする課題】
【０００３】
一方、前記容器の一部又は大部分にプラスチックが使われた水改質具は、熱に弱いため、熱湯に直接入れて利用することができなかった。
このため、茶等を入れる淹れる湯としてアルカリイオン水の湯を使用したいユーザーは、一旦水に水改質具を入れてアルカリイオン水に改質した後、該アルカリイオン水を沸かして湯にする必要があり、手間がかかるという課題があった。
【０００４】
（考案の目的）
そこで、本考案の目的は、飲食用水をアルカリイオン水に改質するために使用する水改質具であって、熱湯の中でも使用することができるものを提供することにある。
【課題を解決するための手段】
【０００５】
上記目的を達成するために講じた本考案の手段は次のとおりである。
第１の考案にあっては、
ポット内において飲食用水をアルカリイオン水に改質するために使用する水改質具であって、
前記水改質具は、
耐熱性及び耐食性を有する素材で形成され、内包する部材が収容体外へ出ることを防止する大きさの孔または／およびスリットが設けられた、通気性及び水透過性を有する収容体と、
該収容体内に内包された水改質材を備えている、
水改質具である。
【０００６】
第２の考案にあっては、
ポット内において飲食用水をアルカリイオン水に改質するために使用する水改質具であって、
前記水改質具は、通気性及び水透過性を有する収容体内に所要量の粒状、リボン状、粉状のいずれか又はこれらを組み合わせた水改質材を内包しており、
前記収容体は、耐熱性及び耐食性を有する素材で形成され、水改質材が出ないように密閉可能な構造であって、収容体外部へ水改質材が出ない大きさの孔または／およびスリットが設けられており、
前記水改質材は、収容体内部で遊動可能な量が充填されている、
水改質具である。
【０００７】
第３の考案にあっては、
収容体は、その一部又は全部が金属製のパンチングメタル、メッシュまたはネット、またはこれらを組み合わせたものにより形成されている、
第１または第２の考案に係る水改質具である。
【０００８】
第４の考案にあっては、
水改質材はマグネシウムである、
第１，第２または第３の考案に係る水改質具である。
【０００９】
本明細書及び本実用新案登録請求の範囲にいう用語は、以下の意味で使用している。
「ポット」は、電気湯沸かしポットが好適に使用されるが、これに限定するものではなく、例えば湯沸かし機能の無いポット、魔法瓶等の容器、やかん等であってもよい。
【００１０】
「飲料用水」は、水道水、地下水又はミネラルウォーター等の飲用可能な水であって、冷水、常温のもの、温水又は熱湯の何れをも含む意味で使用している。
【００１１】
「収容体」は、筒状或いは箱状等の容器、袋状物等であって通気性及び水透過性を有するものが挙げられる。
【００１２】
「耐熱性及び耐食性を有する素材」としては、ステンレススチール、耐熱耐食加工を施したアルミニウム合金等の金属が挙げられるが、これに限定するものではなく、例えばセラミックスや耐熱性及び耐食性を有する合成樹脂等であってもよい。
【００１３】
「水改質材」は、マグネシウムが好適に使用されるが、これに限定するものではなく、他の公知部材（例えば、コーラルサンド、麦飯石、トルマリン等または、これらを組み合わせたもの）であってもよい。
【００１４】
「孔または／およびスリット」は、孔またはスリットのいずれか一方であってもよいし、あるいは、孔およびスリットの両方を組み合わせることもある、という意味で使用している。
【００１５】
（作  用）
本考案に係る水改質具の作用を説明する。
本考案に係る水改質具をポット内の飲料用水に入れる。このとき、ポット内の飲料用水が熱湯であったり又はポットを使用して飲料用水を加熱する場合であっても、前記水改質具は耐熱性及び耐食性を有する素材で形成されているため、湯或いはポット内における接触部分の熱で変形しないか又は変形しにくい。また、繰り返し使用しても錆びたり腐食しないか又はしにくい。
【００１６】
前記水改質具は、内包する部材が収容体外へ出ることを防止する大きさの孔または／およびスリットが設けられており、該孔または／およびスリットから飲料用水が透過して収容体内に流入する。流入した飲料用水は、収容体内で水改質材と反応し、アルカリイオン水へ変化する。また、この際に水素が発生する。
【００１７】
アルカリイオン水に改質された飲料用水は、前記孔または／およびスリットを通じて収容体外へ流出する。同様に、発生した水素は、前記孔または／およびスリットを通じて収容体外へ放出されるため、収容体内に水素が溜まらないか又は溜まりにくく、水改質具がポット内の飲料用水に浮かばないか又は浮かびにくい。
【００１８】
また、収容体内に所要量の粒状、リボン状、粉状のいずれか又はこれらを組み合わせた水改質材を内包し、前記水改質材が収容体内部で遊動可能な量が充填されている水改質具にあっては、前記水改質具に設けられた収容体外部へ水改質材が出ない大きさの孔または／およびスリットから飲料用水が透過して収容体内に飲料用水が流入したときに、粒状、リボン状、粉状のいずれか又はこれらを組み合わせた水改質材がポット内を対流する湯の勢い等によって収容体内で遊動し、水改質材間に隙間が生じやすい。この結果、水の通りが良くなり、水改質材と飲料用水が接触する面積が増え、化学反応が起きやすくなるので、飲料用水をアルカリイオン水に効率よく改質することができる。
【００１９】
収容体の一部又は全部が金属製のパンチングメタル、メッシュまたはネット、またはこれらを組み合わせたものにより形成されている水改質具にあっては、繰り返しの使用に耐える剛性を有し、また、加工がしやすいため効率的に製造できコスト削減に繋がる。
【００２０】
また、水改質材がマグネシウムであるものは、マグネシウムを飲料用水と接触させることで、下記化学式１に示すように、マグネシウムが飲料用水と反応し、水酸化マグネシウムと水素が生成される。これにより飲料用水をアルカリイオン水に改質することができる。
【００２１】
【化１】
0003141713.tif 000003
【考案の効果】
【００２２】
本考案によれば、次の効果を奏する。
（１）本考案に係る水改質具は、耐熱性及び耐食性を有する素材で形成された水改質材であるため、ポット内に入れても収容体が湯或いはポット内における接触部分の熱で変形しないか又は変形しにくく、また、錆びたり腐食しないか又はしにくいので、安全である。
また、水改質材が飲食用水と反応し水素等の気体が生成されたとしても、収容体が通気性を有するため、収容体内に気体が溜まらないか又は溜まりにくいので、飲食用水に沈んだ水改質具が浮き上がらないか又は浮き上がりにくい。この結果、水改質具に設けられた全ての孔または／およびスリットから水が流入可能となるので、飲食用水がアルカリイオン水に改質される際の効率性の向上が期待できる。
【００２３】
（２）通気性及び水透過性を有する収容体内に所要量の粒状、リボン状、粉状のいずれか又はこれらを組み合わせた水改質材を内包しており、前記収容体は耐熱性及び耐食性を有する素材で形成され、水改質材が出ないように密閉可能な構造であって、収容体外部へ水改質材が出ない大きさの孔または／およびスリットが設けられており、前記水改質材は収容体内部で遊動可能な量が充填されている水改質具である場合は、前述の（１）記載の効果に加えて、更に水改質材が収容体内部で遊動可能な量が充填されているので、飲食用水と接触し撹拌されやすく、これによって反応が早まり、早期にアルカリイオン水を生成することができることが期待される。
【００２４】
（３）収容体の一部又は全部が金属製のパンチングメタル、メッシュまたはネット、またはこれらを組み合わせたものにより形成されている水改質具については、通気性及び水透過性が良く、且つ加工がしやすい。
更に前記水改質具は、その収容部がパンチングメタル等により形成された簡易な構造であるため作業工程が少なく、生産に使用するエネルギーが削減でき、ひいては作業等で排出するＣＯ２削減に役立つ。
【００２５】
（４）また、水改質材がマグネシウムであるものは、収容体内のマグネシウムを飲食用水と接触させることで、マグネシウムが飲食用水と反応して水酸化マグネシウムと水素が生成され、この結果、水道水等の飲食用水をアルカリイオン水に改質することができる。
【考案を実施するための最良の形態】
【００２６】
本考案の実施の形態を図面に基づき更に詳細に説明する。
図１は本考案に係る水改質具を示す斜視図、図２は水改質具に内包された水改質材を一点鎖線で示した側面視断面図である。
【００２７】
まず図１に示す水改質具１について説明する。
水改質具１は、ステンレススチールで形成された収容体１１０と、その内部に収容された粒状のマグネシウムである水改質材１２０を備えている。
収容体１１０は、多数の小孔が設けられた金属製の板材（いわゆるパンチングメタル）を円筒状にして形成した通水・通気部１１３と、該通水・通気部１１３の両方の開口部へ被せて閉じるための部材である端部材１１１，１１２を備えている。
通水・通気部１１３に設けられた小孔は、水改質材１２０よりも小さく、つまり、該小孔を通じて収容体１１０外部へ水改質材１２０が出ない大きさに形成されている（該小孔は以下「通水・通気孔１１４」と称する。）。
水改質材１２０は、収容体１１０内部で遊動可能な量が充填されている。
【００２８】
なお、本実施の形態では、収容体はステンレススチールで円筒状に形成されているが、当該形状及び素材に限定するものではなく、例えば円錐形、三角錐等の錐体、三角柱、四角柱等の柱体の容器、袋状物等の形状であってもよいし、また、耐熱耐食加工を施したアルミニウム合金等の金属ほか、セラミックスや耐熱性及び耐食性を有する合成樹脂等の素材により形成されたものであってもよい。
【００２９】
また、通水・通気部を構成する部材もパンチングメタルに限定するものではなく、例えば、耐熱性及び耐食性を有する素材で形成されたメッシュまたはネット、またはこれらを組み合わせたものにより形成してもよいし、水改質材が収容体外部へ出ない幅のスリットが設けられた板材等で形成してもよい。また、本実施の形態では、通水・通気部は収容体の一部に設けられているが、収容体の全体に設けてもよい。
【００３０】
本実施の形態では、水改質材として粒状のマグネシウムを使用しているが、当該素材に限定するものではなく、他の公知部材（例えば、コーラルサンド、麦飯石、トルマリン等または、これらを組み合わせたもの）又は他の公知部材と組み合わせたものを利用してもよい。また、粉状のマグネシウム、粒状および粉状の両方のマグネシウムを組み合わせてもよい。
【００３１】
（作  用）
図３は電気ポット内に水改質具を入れた状態を示した使用状態説明図である。
図１乃至図３を参照して、水改質具１の作用を説明する。
【００３２】
本考案に係る水改質具１を電気湯沸かしポット２内の飲料用水３に入れる。なお、後述する発生した水素の放出のために、水改質具１は通水・通気部１１３が上方に位置するよう、横倒しにして入れることが好ましい。
このときの飲料用水３は、冷水、常温のもの、温水又は熱水の何れであってもよいが、既に電気湯沸かしポット２内の飲料用水３が熱湯であったり、又は電気湯沸かしポット２を使用して飲料用水３を加熱した場合であっても、水改質具１はステンレススチールで形成されているため、湯の熱で溶けない。また、繰り返し使用しても錆びたり腐食しないか又はしにくいので、繰り返し使用しても安全である。
【００３３】
通水・通気孔１１４を通じて、飲料用水３が収容体１１０内に流入する。
流入した飲料用水３は、収容体１１０内で水改質材１２０であるマグネシウムと接触して化学反応を起こし、水酸化マグネシウムと水素が生成された結果、アルカリイオン水へ改質される。
このとき、収容体１１０内では、流入した飲料用水３によって水改質材１２０が遊動し、水改質材１２０相互間に隙間が生じやすくなって水改質材１２０と飲料用水３が接触する面積が増え、水の通りが良くなる。これによって、化学反応が起きやすくなり、飲料用水３をアルカリイオン水に効率よく改質される。
【００３４】
アルカリイオン水に改質された飲料用水３は、通水・通気孔１１４を通じて収容体１１０外へ流出する。同様に、発生した水素は、通水・通気孔１１４を通じて収容体１１０外へ放出されるため、収容体１１０内に水素が溜まらないか又は溜まりにくい。このため、電気湯沸かしポット２内の飲料用水３において水改質具１が浮かばないか又は浮かびにくい。この結果、水改質具１に設けられた全ての通水・通気孔１１４から水が流入可能となるので、飲料用水３がアルカリイオン水に改質される際の効率性の向上が期待できる。
【００３５】
収容体１１０はステンレススチール製のパンチングメタルにより形成された簡易な構造であるため作業工程が少なく、生産に使用するエネルギーが削減でき、ひいては作業等で排出するＣＯ２削減に役立つ。
【００３６】
本明細書及び実用新案登録請求の範囲で使用している用語と表現は、あくまでも説明上のものであって、なんら限定的なものではなく、本明細書及び実用新案登録請求の範囲に記述された特徴およびその一部と等価の用語や表現を除外する意図はない。また、本考案の技術思想の範囲内で、種々の変形態様が可能であるということは言うまでもない。
【図面の簡単な説明】
【００３７】
【図１】本考案に係る水改質具を示す斜視図。
【図２】水改質具に内包された水改質材を一点鎖線で示した側面視断面図。
【図３】電気ポット内に水改質具を入れた状態を示した使用状態説明図。
【符号の説明】
【００３８】
１      水改質具
１１０  収容体
１１１，１１２  端部材
１１３  通水・通気部
１１４  通水・通気孔
１２０  水改質材
２      電気湯沸かしポット
３      飲料用水
【図１】
0003141713.tif 000004
【図２】
0003141713.tif 000005
【図３】
0003141713.tif 000006